(57)【要約】【課題】フィルムモードとビデオモードの画像情報を入力し得る状況で、画質を向上させることが可能な画像処理装置等を提供すること。【解決手段】画像処理装置１０４が、複数の連続した画像を示す画像情報を入力する画像情報入力部１１０と、前記複数の連続した画像に基づき、画像モードの切り替わりを判定する判定部１３０と、画像モードの切り替わり後の当該画像モードが連続する回数をカウントするカウント部１４０と、前記画像情報に基づき、画像処理を実行する画像処理部１６０と、前記回数に応じて画像処理部１６０に対し、前記画像モードの切り替わり前の画像処理および前記画像モードの切り替わり後の画像処理を実行させ、あるいは、前記画像モードの切り替わり後の画像処理を実行させる制御部１５０と、各画像処理後の画像データを前記回数に応じた割合で合成する合成部１７０を含んで構成される。【選択図】図２
2010166115.tif 000002
【特許請求の範囲】
【請求項１】
複数の連続した画像、あるいは、複数の連続した画像および当該画像ごとのモード判定情報を示す画像情報を入力する画像情報入力部と、
前記複数の連続した画像または前記モード判定情報に基づき、画像モードの切り替わりを判定する判定部と、
画像モードの切り替わり後の当該画像モードが連続する回数をカウントするカウント部と、
前記画像情報に基づき、画像処理を実行する画像処理部と、
前記回数に応じて前記画像処理部に対し、前記画像モードの切り替わり前の画像処理および前記画像モードの切り替わり後の画像処理を実行させ、あるいは、前記画像モードの切り替わり後の画像処理を実行させる制御部と、
前記画像モードの切り替わり前の画像処理および前記画像モードの切り替わり後の画像処理が実行された場合、各画像処理後の画像データを前記回数に応じた割合で合成する合成部と、
を含む、
画像処理装置。
【請求項２】
請求項１に記載の画像処理装置において、
前記制御部は、
前記回数が１以上所定値（ただし、所定値は２以上の整数）未満の場合、前記画像モードの切り替わり前の画像処理および前記画像モードの切り替わり後の画像処理を実行させ、
前記回数が前記所定値以上の場合、前記画像モードの切り替わり後の画像処理を実行させる、
画像処理装置。
【請求項３】
請求項１、２のいずれかに記載の画像処理装置において、
前記判定部は、前記画像を複数の領域に区分して当該領域ごとに画像モードの切り替わりを判定し、
前記カウント部は、前記領域ごとの判定結果に応じて前記領域ごとに前記画像モードの切り替わり後の当該画像モードが連続する回数をカウントし、
前記制御部は、前記領域ごとの前記回数に応じて前記画像処理部に対し、前記画像モードの切り替わり前の画像処理および前記画像モードの切り替わり後の画像処理を前記領域ごとに実行させ、あるいは、前記画像モードの切り替わり後の画像処理を前記領域ごとに実行させる、
画像処理装置。
【請求項４】
請求項２に従属する請求項３に記載の画像処理装置において、
前記制御部は、前記画像におけるいずれかの領域で前記回数が前記所定値以上になった場合、当該領域に隣接する領域の前記所定値を減少させるか、あるいは、当該領域に隣接する領域の前記回数を増加させて前記回数の判定を行う、
画像処理装置。
【請求項５】
請求項１〜４のいずれかに記載の画像処理装置と、
前記合成部によって合成された画像データに基づき、画像を生成する画像生成部と、
当該画像を表示する表示部と、
を含む、
表示装置。
【請求項６】
コンピューターを、
複数の連続した画像、あるいは、複数の連続した画像および当該画像ごとのモード判定情報を示す画像情報を入力する画像情報入力部と、
前記複数の連続した画像または前記モード判定情報に基づき、画像モードの切り替わりを判定する判定部と、
画像モードの切り替わり後の当該画像モードが連続する回数をカウントするカウント部と、
前記画像情報に基づき、画像処理を実行する画像処理部と、
前記回数に応じて前記画像処理部に対し、前記画像モードの切り替わり前の画像処理および前記画像モードの切り替わり後の画像処理を実行させ、あるいは、前記画像モードの切り替わり後の画像処理を実行させる制御部と、
前記画像モードの切り替わり前の画像処理および前記画像モードの切り替わり後の画像処理が実行された場合、各画像処理後の画像データを前記回数に応じた割合で合成する合成部として機能させる、
プログラム。
【請求項７】
コンピューターにより読み取り可能なプログラムを記憶した情報記憶媒体であって、
請求項６に記載のプログラムを記憶した、
情報記憶媒体。
【発明の詳細な説明】
【技術分野】
【０００１】
本発明は、画像処理装置、表示装置、プログラムおよび情報記憶媒体に関する。
【背景技術】
【０００２】
ブルーレイディスク等に記録される画像情報は、２４コマ／秒のフィルムモードの画像情報と、３０コマ／秒のビデオモードの画像情報があり、これらの画像情報が混在している場合もある。適切な画像を表示するためには、これらの両者を適切に判別することが重要である。
【０００３】
特開２００４−８５９６１号公報では、映像信号に付加されている復号化参照情報に基づき、映像信号が２−３プルダウンされたものであるかどうかを判別している。
【先行技術文献】
【特許文献】
【０００４】
【特許文献１】特開２００４−８５９６１号公報
【発明の概要】
【発明が解決しようとする課題】
【０００５】
しかし、単に復号化参照情報を用いる手法の場合、フィルムモードの画像情報のうち、１、２フレームだけビデオモードの画像情報であった場合、画像が急激に変化してしまい、表示される画像に違和感が生じる可能性がある。特に、フィルムモードの画像情報とビデオモードの画像情報の処理時間が同じでない場合、画像の動きが止まったり、画像の動きが滑らかでなくなってしまったりする。
【０００６】
本発明の目的は、フィルムモードとビデオモードの画像情報を入力し得る状況で、画質を向上させることが可能な画像処理装置、表示装置、プログラムおよび情報記憶媒体を提供することにある。
【課題を解決するための手段】
【０００７】
上記課題を解決するため、本発明に係る画像処理装置は、複数の連続した画像、あるいは、複数の連続した画像および当該画像ごとのモード判定情報を示す画像情報を入力する画像情報入力部と、前記複数の連続した画像または前記モード判定情報に基づき、画像モードの切り替わりを判定する判定部と、画像モードの切り替わり後の当該画像モードが連続する回数をカウントするカウント部と、前記画像情報に基づき、画像処理を実行する画像処理部と、前記回数に応じて前記画像処理部に対し、前記画像モードの切り替わり前の画像処理および前記画像モードの切り替わり後の画像処理を実行させ、あるいは、前記画像モードの切り替わり後の画像処理を実行させる制御部と、前記画像モードの切り替わり前の画像処理および前記画像モードの切り替わり後の画像処理が実行された場合、各画像処理後の画像データを前記回数に応じた割合で合成する合成部と、を含むことを特徴とする。
【０００８】
また、本発明に係る表示装置は、上記画像処理装置と、前記合成部によって合成された画像データに基づき、画像を生成する画像生成部と、当該画像を表示する表示部と、を含むことを特徴とする。
【０００９】
また、本発明に係るプログラムは、コンピューターを、複数の連続した画像、あるいは、複数の連続した画像および当該画像ごとのモード判定情報を示す画像情報を入力する画像情報入力部と、前記複数の連続した画像または前記モード判定情報に基づき、画像モードの切り替わりを判定する判定部と、画像モードの切り替わり後の当該画像モードが連続する回数をカウントするカウント部と、前記画像情報に基づき、画像処理を実行する画像処理部と、前記回数に応じて前記画像処理部に対し、前記画像モードの切り替わり前の画像処理および前記画像モードの切り替わり後の画像処理を実行させ、あるいは、前記画像モードの切り替わり後の画像処理を実行させる制御部と、前記画像モードの切り替わり前の画像処理および前記画像モードの切り替わり後の画像処理が実行された場合、各画像処理後の画像データを前記回数に応じた割合で合成する合成部として機能させることを特徴とする。
【００１０】
また、本発明に係る情報記憶媒体は、コンピューターにより読み取り可能なプログラムを記憶した情報記憶媒体であって、上記プログラムを記憶したことを特徴とする。
【００１１】
本発明によれば、画像処理装置等は、画像モードに応じた画像処理後の画像データを連続回数に応じた割合で合成することにより、画像をより滑らかに変化させることができる。これにより、画像処理装置等は、フィルムモードとビデオモードの画像情報を入力し得る状況で、画質を向上させることができる。
【００１２】
また、前記制御部は、前記回数が１以上所定値（ただし、所定値は２以上の整数）未満の場合、前記画像モードの切り替わり前の画像処理および前記画像モードの切り替わり後の画像処理を実行させ、前記回数が前記所定値以上の場合、前記画像モードの切り替わり後の画像処理を実行させてもよい。
【００１３】
これによれば、画像処理装置等は、連続回数が所定値未満の場合に切り替わり前と切り替わり後の画像処理を実行することにより、画像モードの切り替わりを誤って判定した場合であっても画像が急激に変化することを防止することができるため、フィルムモードとビデオモードの画像情報を入力し得る状況で、画質を向上させることができる。
【００１４】
また、前記判定部は、前記画像を複数の領域に区分して当該領域ごとに画像モードの切り替わりを判定し、前記カウント部は、前記領域ごとの判定結果に応じて前記領域ごとに前記画像モードの切り替わり後の当該画像モードが連続する回数をカウントし、前記制御部は、前記領域ごとの前記回数に応じて前記画像処理部に対し、前記画像モードの切り替わり前の画像処理および前記画像モードの切り替わり後の画像処理を前記領域ごとに実行させ、あるいは、前記画像モードの切り替わり後の画像処理を前記領域ごとに実行させてもよい。
【００１５】
これによれば、画像処理装置等は、部分的な画像モードの切り替わりを判定して画像処理を実行することができる。
【００１６】
また、前記制御部は、前記画像におけるいずれかの領域で前記回数が前記所定値以上になった場合、当該領域に隣接する領域の前記所定値を減少させるか、あるいは、当該領域に隣接する領域の前記回数を増加させて前記回数の判定を行ってもよい。
【００１７】
これによれば、画像処理装置等は、一部で画像モードの切り替わりを検出した際に隣接する領域に対する判定を変更することにより、最終的な画像モードの切り替わりタイミングの差を少なくすることができる。
【図面の簡単な説明】
【００１８】
【図１】従来と第１の実施例におけるビデオモードとフィルムモードの判定結果に対する処理結果を示す図である。
【図２】第１の実施例におけるプロジェクターの機能ブロックを示す図である。
【図３】第１の実施例におけるモード判定に応じた画像処理手順を示すフローチャートである。
【図４】第１の実施例における２−３プルダウンされた画像情報の模式図である。
【図５】第２の実施例におけるプロジェクターの機能ブロックを示す図である。
【図６】第２の実施例におけるモード判定に応じた画像処理手順を示すフローチャートである。
【図７】第２の実施例におけるカウント値の配列データの一例を示す図である。
【図８】第２の実施例におけるカウント値の配列データの他の一例を示す図である。
【図９】第２の実施例におけるカウント値の配列データの他の一例を示す図である。
【図１０】その他の実施例におけるカウント値の配列データの一例を示す図である。
【図１１】その他の実施例におけるカウント値の配列データの他の一例を示す図である。
【発明を実施するための形態】
【００１９】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、従来と第１の実施例におけるビデオモードとフィルムモードの判定結果に対する処理結果を示す図である。プロジェクターは、ブルーレイディスクプレーヤー等からフィルムモードの画像信号（例えば、１０８０／２４ｐ、２−３プルダウンされた画像信号等）と、ビデオモードの画像信号（例えば、１０８０／６０ｉの画像信号等）が混在する画像信号を入力する。
【００２１】
このような場合、従来のプロジェクターは、入力画像信号の対象フレームの画像モードがフィルムモードであると判定した場合、当該フレームの画像情報に対して即座にフィルムモードの画像処理を実行していた。このため、ビデオモードとフィルムモードが切り替わった時、処理方法、処理タイミングの相違によって実際の表示される画像に違和感が生じる場合があった。
【００２２】
これに対し、本実施例のプロジェクターは、画像モードの切り替わり後の当該画像モードの連続する回数をカウントし、当該回数に応じて、ビデオモードに応じた画像処理後の画像データと、フィルムモードに応じた画像処理後の画像データを合成して合成後の画像データを用いて画像を生成して投写する。
【００２３】
これにより、図１に示すように、フィルムモードからビデオモードに切り替わる場合であっても、ビデオモードに応じた画像に徐々に変化させることができる。
【００２４】
次に、このような機能を有するプロジェクターの機能ブロックについて説明する。図２は、第１の実施例におけるプロジェクター１００の機能ブロックを示す図である。プロジェクター１００は、ブルーレイディスクプレーヤー等から画像信号を入力する入力部１０２と、入力画像信号に基づく画像処理を実行する画像処理装置１０４と、画像処理装置１０４による画像処理後の画像データに基づく画像を生成する画像生成部１０６と、当該画像を投写（表示）する投写部（表示部）１０８を含んで構成されている。
【００２５】
また、画像処理装置１０４は、複数の連続した画像を示す画像情報を入力する画像情報入力部１１０と、当該画像情報を記憶する記憶部１２０と、当該画像情報に基づき、画像モードの切り替わりを判定する判定部１３０と、画像モードの切り替わり後の当該画像モードが連続している回数をカウントするカウント部１４０を含んで構成されている。
【００２６】
また、画像処理装置１０４は、画像情報に基づき、画像処理を実行する画像処理部１６０と、上記回数に応じて画像処理部１６０に対し、画像モードの切り替わり前の画像処理および画像モードの切り替わり後の画像処理を実行させ、あるいは、画像モードの切り替わり後の画像処理を実行させる制御部１５０と、各画像処理後の画像データを当該画像モードが連続する回数に応じた割合で合成する合成部１７０を含んで構成される。
【００２７】
なお、プロジェクター１００は、これらの各部の機能を、以下のハードウェアを用いて実装してもよい。例えば、プロジェクター１００は、入力部１０２は画像入力端子、コンバーター等、画像情報入力部１１０は画像入力回路等、記憶部１２０はＲＡＭ等、判定部１３０、カウント部１４０、制御部１５０はＣＰＵ等、画像処理部１６０、合成部１７０、画像生成部１０６は画像処理回路等、投写部１０８はランプ、液晶パネル、液晶駆動回路、レンズ等を用いて実装してもよい。
【００２８】
また、プロジェクター１００は、判定部１３０等の機能を情報記憶媒体２００に記憶されたプログラムを読み取って実装してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２９】
図３は、第１の実施例におけるモード判定に応じた画像処理手順を示すフローチャートである。入力部１０２は、ブルーレイディスクプレーヤー等から画像信号を入力し、入力画像信号に基づき、例えば、デジタル変換等を行って画像情報を生成する（ステップＳ１）。なお、ブルーレイディスクプレーヤー等からの画像信号は、例えば、動画像信号であり、複数の連続した画像を示す信号である。
【００３０】
画像情報入力部１１０は、入力部１０２から画像情報を入力し、記憶部１２０に記憶する（ステップＳ２）。判定部１３０は、記憶部１２０に記憶された画像情報に基づき、複数フィールドの画像を比較して画像の切り替わりを判定する（ステップＳ３、Ｓ４）。
【００３１】
図４は、第１の実施例における２−３プルダウンされた画像情報の模式図である。１０８０／２４ｐの画像信号は、毎秒２４フレームの順次走査（プログレッシブスキャン）の画像信号である。この画像信号が２−３プルダウンされることにより、１０８０／６０ｉの画像信号、すなわち、毎秒６０フィールドの（３０フレーム）の飛び越し走査（インターレーススキャン）の画像信号に変換される。
【００３２】
この画像信号（画像情報）は、元の１枚の画像が２枚、３枚というパターンで並ぶことになる。このため、奇数ラインまたは偶数ラインにおいて、同じ内容の画像が２回連続することになる（図４の例では２枚目の奇数ライン）。したがって、判定部１３０は、複数フィールドの画像を比較して画像モードがフィルムモードかどうかを判定することができ、画像モードの切り替わりを判定することができる。
【００３３】
画像モードの切り替わりであると判定された場合、制御部１５０は、設定画像モードを切り替わり後の画像モードに変更し（ステップＳ５）、カウント部１４０は、切り替わり後の処理フィールド数を示すカウント値ｋに１を設定する（ステップＳ６）。一方、画像モードの切り替わりでない場合、カウント部１４０は、現在のカウント値ｋを１つ増加させる（ステップＳ７）。
【００３４】
制御部１５０は、カウント値ｋが１以上４以下であるかどうかを判定し（ステップＳ８）、当該判定結果が真の場合、画像処理部１６０にフィルムモードＦ（ｋ）およびビデオモードＶ（ｋ）の画像処理を実行させ（ステップＳ９）、合成部１７０にＦ（ｋ）＊（５−ｋ）／５＋Ｖ（ｋ）＊ｋ／５を演算させて画像データを合成させる（ステップＳ１０）。
【００３５】
一方、当該判定結果が偽の場合、制御部１５０は、画像処理部１６０に現在の設定画像モードに応じてフィルムモードＦ（ｋ）またはビデオモードＶ（ｋ）の画像処理を実行させる（ステップＳ１１）。例えば、現在の設定画像モードがフィルムモードの場合、画像処理部１６０は、フィルムモードＦ（ｋ）の画像処理を実行して画像データを生成する。
【００３６】
画像生成部１０６は、画像データに基づき、画像を生成し、投写部１０８は、当該画像を投写する（ステップＳ１２）。プロジェクター１００は、プロジェクター１００の電源オフ等によって上述した処理を終了すべきかどうかを判定し（ステップＳ１３）、プロジェクター１００は、処理をすべき場合は処理を終了し、処理を続行すべき場合は上述した処理を続行する。
【００３７】
以上のように、本実施例によれば、プロジェクター１００は、画像モードに応じた画像処理後の画像データを当該画像モードが連続する回数に応じた割合で合成することにより、画像をより滑らかに変化させることができる。これにより、プロジェクター１００は、フィルムモードとビデオモードの画像情報を入力し得る状況で、画質を向上させることができる。
【００３８】
また、本実施例によれば、プロジェクター１００は、画像モード切り替わり後の当該画像モードが連続する回数が所定値未満の場合に切り替わり前と切り替わり後の画像処理を実行することにより、画像モードの切り替わりを誤って判定した場合であっても画像が急激に変化することを防止することができるため、フィルムモードとビデオモードの画像情報を入力し得る状況で、画質を向上させることができる。
【００３９】
（第２の実施例）
画像モードの判定は、１つの画像が複数の領域に区分されて領域ごとに行われてもよい。図５は、第２の実施例におけるプロジェクター１０１の機能ブロックを示す図である。プロジェクター１０１に含まれる画像処理装置１０５は、画像を複数の領域に区分して当該領域ごとに画像モードの切り替わりを判定する判定部１３１と、領域ごとの判定結果に応じて領域ごとに画像モードの切り替わり後の当該画像モードの連続回数をカウントするカウント部１４１と、領域ごとの画像モードの連続回数に応じて画像処理部１６０に対し、画像モードの切り替わり前の画像処理および画像モードの切り替わり後の画像処理を領域ごとに実行させ、あるいは、画像モードの切り替わり後の画像処理を領域ごとに実行させる制御部１５１を含んで構成されている。
【００４０】
なお、これら以外の構成は第１の実施例と同様であるため、説明を省略する。また、プロジェクター１０１は、判定部１３１等の機能を情報記憶媒体２０１に記憶されたプログラムを読み取って実装してもよい。
【００４１】
次に、判定部１３１等を用いた画像処理手順について説明する。図６は、第２の実施例におけるモード判定に応じた画像処理手順を示すフローチャートである。なお、図６の処理は、第１の実施例のステップＳ３〜Ｓ７の処理に相当する。これら以外の処理は第１の実施例と同様であるため、説明を省略する。
【００４２】
判定部１３１は、記憶部１２０に記憶された画像情報に基づき、画像を複数の領域に区分する（ステップＳ２１）。判定部１３１および制御部１５１は、変数ｘおよび変数ｙに初期値として１を設定する（ステップＳ２２）。
【００４３】
判定部１３１は、画像情報に基づき、複数フィールドの対象領域（変数ｘ、ｙで決定される領域）を比較して画像モードの切り替わりを判定する（ステップＳ２３、Ｓ２４）。例えば、判定部１３１は、上述した実施例と同様に、奇数ラインまたは偶数ラインにおいて、同じ内容の画像が２回連続することを検出してフィルムモードかどうかを判定することができる。
【００４４】
画像モードの切り替わりの場合、制御部１５１は、設定画像モードｍ（ｘ，ｙ）を変更する（ステップＳ２５）。なお、本実施例では、画像は縦４×横４の１６個の領域に区分されており、ｘは水平方向、ｙは垂直方向を示す。また、ｍ（ｘ，ｙ）は、領域（ｘ，ｙ）における画像モードを示す配列データである。例えば、ｍ（１，１）は左上の領域の画像モードを示し、ｍ（４，４）は右下の領域の画像モードを示す。
【００４５】
また、画像モードの切り替わりの場合、カウント部１４１は、カウント値ｎ（ｘ，ｙ）に１を設定する（ステップＳ２６）。なお、ｎ（ｘ，ｙ）は、領域（ｘ，ｙ）におけるカウント値を示す配列データである。
【００４６】
一方、画像モードの切り替わりでない場合、カウント部１４１は、現在のカウント値ｎ（ｘ，ｙ）を１つ増加させる（ステップＳ２７）。
【００４７】
カウント値の設定後、制御部１５１およびカウント部１４１は、次の領域の処理を実行するため、変数ｘを１つ増加させる（ステップＳ２８）。また、制御部１５１およびカウント部１４１は、変数ｘが４を超えるかどうかを判定し（ステップＳ２９）、変数ｘが４を超える場合、次の行の処理を実行するため、変数ｙを１つ増加させる（ステップＳ３０）。
【００４８】
制御部１５１およびカウント部１４１は、１つの画像内の全領域の処理を実行したかどうかを判定するため、変数ｙが４を超えるかどうかを判定する（ステップＳ３１）。変数ｙが４を超えていない場合、プロジェクター１０１は、ステップＳ２３〜Ｓ３１の処理を実行する。
【００４９】
以上の処理により、１画像内の全領域に対する処理が終了する。また、カウント部１４１は、カウント値ｎが５の領域があるかどうかを判定し（ステップＳ３２）、カウント値ｎが５の領域がある場合、当該領域の周辺領域のうち、カウント値が４以下のものを５に変更する（ステップＳ３３）。
【００５０】
図７は、第２の実施例におけるカウント値の配列データの一例を示す図である。また、図８は、第２の実施例におけるカウント値の配列データの他の一例を示す図である。また、図９は、第２の実施例におけるカウント値の配列データの他の一例を示す図である。
【００５１】
例えば、処理フィールド数が増えることによって、図７の状態から図８の状態に変化したものとする。図８に示す配列データでは、カウント値ｎ（２，２）は５になっている。この場合、カウント部１４１は、５になった領域のｘ座標−１から当該ｘ座標＋１であって、かつ、当該領域のｙ座標−１から当該ｙ座標＋１の範囲の領域のうち、カウント値ｎが４以下のものを５に変更する。これにより、図９に示すように、カウント値ｎ（２，２）の周囲の領域のカウント値も５になる。
【００５２】
図３に示すように、制御部１５１は、カウント値が５以上の領域に対しては、設定画像モードｍ（ｘ，ｙ）に応じた画像モードの画像処理を実行させ、カウント値が４以下の領域に対しては、各画像モードの画像処理を実行させ、画像データを合成させる。画像生成部１０６は、画像データに基づき、画像を生成し、投写部１０８は、当該画像を投写する。プロジェクター１０１は、以上の処理を終了するまで繰り返し実行する。
【００５３】
以上のように、本実施例によれば、プロジェクター１０１は、画像を複数の領域に区分して当該領域ごとに画像モードの切り替わりを判定し、領域ごとの判定結果に応じて領域ごとに画像モードの切り替わり後の当該画像モードが連続する回数をカウントし、領域ごとの処理フィールド数に応じて画像モードの切り替わり前の画像処理および画像モードの切り替わり後の画像処理を領域ごとに実行し、あるいは、画像モードの切り替わり後の画像処理を領域ごとに実行することにより、部分的な画像モードの切り替わりを判定して画像処理を実行することができる。
【００５４】
（その他の実施例）
なお、本発明の適用は上述した実施例に限定されず、種々の変形が可能である。例えば、第２の実施例における周辺領域のカウント値の変更手法は、上述した実施例には限定されない。
【００５５】
図１０は、その他の実施例におけるカウント値の配列データの一例を示す図である。例えば、カウント部１４１は、図８に示す状態でステップＳ３３の処理を実行する際、カウント値が５になった領域の周辺領域のカウント値を１つずつ増加させてもよい。これによれば、プロジェクター１０１は、画像モードに応じた画像処理結果を徐々に変更することができる。
【００５６】
図１１は、その他の実施例におけるカウント値の配列データの他の一例を示す図である。また、例えば、カウント部１４１は、ステップＳ３３の処理を実行した後、カウント値が５になった領域の周囲領域の外側に隣接する領域のカウント値を４に設定してもよい。これによれば、プロジェクター１０１は、最終的な画像モードの切り替わりタイミングの差をより少なくすることができる。
【００５７】
また、制御部１５１は、画像モードが連続する回数が５になった領域がある場合、当該領域に隣接する領域の判定値（上述した実施例では５）を減少させてもよい。これによっても、プロジェクター１０１は、最終的な画像モードの切り替わりタイミングの差をより少なくすることができる。
【００５８】
また、上述した実施例では、プロジェクター１００、１０１は、判定の基準となる所定値として５を採用しているが、所定値は５には限定されず、２以上４以下であってもよいし、６以上であってもよい。
【００５９】
また、上述した実施例では、判定部１３０、１３１は複数の画像を比較して画像モードを判定しているが、画像情報入力部１１０が複数の連続した画像および当該画像ごとのモード判定情報を示す画像情報を入力する場合、判定部１３０、１３１は、モード判定情報に基づき、画像モードの切り替わりを判定してもよい。
【００６０】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００の機能を複数の装置（例えば、ＰＣとプロジェクター等）に分散して実装してもよい。
【００６１】
また、本発明を適用可能な表示装置は、プロジェクター１００、１０１には限定されず、例えば、テレビ、液晶ディスプレイ等であってもよい。また、画像処理装置１０４、１０５を実装可能な装置もプロジェクター１００、１０１には限定されず、例えば、テレビ、液晶ディスプレイ、ＰＣ等であってもよい。
【符号の説明】
【００６２】
１００、１０１  プロジェクター、１０２  入力部、１０４、１０５  画像処理装置、１０６  画像生成部、１０８  投写部、１１０  画像情報入力部、１２０  記憶部、１３０、１３１  判定部、１４０、１４１  カウント部、１５０、１５１  制御部、１６０  画像処理部、１７０  合成部、２００、２０１  情報記憶媒体
【図１】
2010166115.tif 000003
【図２】
2010166115.tif 000004
【図３】
2010166115.tif 000005
【図４】
2010166115.tif 000006
【図５】
2010166115.tif 000007
【図６】
2010166115.tif 000008
【図７】
2010166115.tif 000009
【図８】
2010166115.tif 000010
【図９】
2010166115.tif 000011
【図１０】
2010166115.tif 000012
【図１１】
2010166115.tif 000013